(57)【要約】【課題】端子ネジや導体，配線の絶縁性を確保しつつ、内部用基台部に配置される端子ネジに接続する内部配線の配線長を最短にしかつ外部用基台部の端子ネジに対する外部配線の接続作業性を向上させた貫通端子台及び電気機器を提供する。【解決手段】貫通端子台は、壁によって一以上の端子部に区画される内部用基台部と、内部用基台部と対をなす、壁によって一以上の端子部に区画される外部用基台と、を有する絶縁性を有する基台と、基台に内部用基台部と外部用基台部との対応する端子部同士を繋ぐように取り付けられる貫通導体と、内部用基台部及び外部用基台部の端子部ごとにそれぞれ配置される、貫通導体に螺合される端子ネジと、を備える。内部用基台部は、前面において開放される開口と、前面と対向する背面に立設される壁と、を有する。外部用基台は、前面に立設される壁と、背面において開放される開口と、を有する。【選択図】図９
2017107658.tif 000002
【特許請求の範囲】
【請求項１】
壁（３２）によって一以上の端子部（３０）に区画される内部用基台部（２６）と、前記内部用基台部（２６）と対をなす、壁（３６）によって一以上の端子部（３４）に区画される外部用基台部（２８）と、を有する、絶縁性を有する基台（２２）と、
前記基台（２２）に前記内部用基台部（２６）と前記外部用基台部（２８）との対応する端子部（３０，３４）同士を繋ぐように取り付けられる一以上の貫通導体（４０）と、
前記内部用基台部（２６）及び前記外部用基台部（２８）の端子部（３０，３４）ごとにそれぞれ配置される、前記貫通導体（４０）に螺合される端子ネジ（４２，４４）と、
を備える貫通端子台（２０）であって、
前記内部用基台部（２６）は、第１の面において開放される開口（７０）と、前記第１の面と対向する第２の面に立設される壁（７２）と、を有すると共に、
前記外部用基台部（２８）は、前記第１の面に立設される壁（７６）と、前記第２の面において開放される開口（７４）と、を有することを特徴とする貫通端子台。
【請求項２】
前記内部用基台部（２６）及び前記外部用基台部（２８）は、各端子部（３０，３４）に対して三方それぞれに立設される壁（３２，３６，７２，７６）を有することを特徴とする請求項１記載の貫通端子台。
【請求項３】
前記内部用基台部（２６）が複数の端子部（３０）に区画され、
前記外部用基台部（２８）が複数の端子部（３４）に区画されると共に、
前記内部用基台部（２６）の端子部（３０）及び前記外部用基台部（２８）の端子部（３４）はそれぞれ、前記第１の面を前面としかつ前記第２の面を背面としたとき、左右方向に配列されていることを特徴とする請求項１又は２記載の貫通端子台。
【請求項４】
前記基台（２２）の左右方向端にある壁の少なくとも一方に固定用突起部（２１）が設けられることを特徴とする請求項３記載の貫通端子台。
【請求項５】
前記基台（２２）は、左右両側のうち少なくとも一方側に突設される、取付孔（８０，８２）が空いた取付部（８４，８６）を有することを特徴とする請求項３記載の貫通端子台。
【請求項６】
電気回路（１６）と、
前記電気回路（１６）が収容される筐体（１８）と、
請求項１乃至５の何れか一項記載の貫通端子台（２０）と、
を備え、
前記貫通端子台（２０）は、前記内部用基台部（２６）の端子部（３０）が前記筐体（１８）の内部に収容されかつ前記外部用基台部（２８）の端子部（３４）が前記筐体（１８）の外部に露出するように、前記筐体（１８）に取り付けられると共に、
前記内部用基台部（２６）の端子部（３０）に配置される前記端子ネジ（４２）と前記電気回路（１６）とは、前記筐体（１８）の内部において接続されていることを特徴とする電気機器。
【請求項７】
前記貫通端子台（２０）は、前記第１の面において開放される前記内部用基台部（２６）の開口（７０）が前記筐体（１８）の前記電気回路（１６）が配置される内部空間側に向き、かつ、前記第２の面に立設される前記内部用基台部（２６）の壁（７２）が前記筐体（１８）の何れかの内壁に当接又は近接するように、前記筐体（１８）に取り付けられることを特徴とする請求項６記載の電気機器。
【発明の詳細な説明】
【技術分野】
【０００１】
本発明は、貫通端子台及び貫通端子台を備える電気機器に関する。
【背景技術】
【０００２】
従来、貫通端子台が知られている（例えば、特許文献１参照）。貫通端子台は、絶縁材料を素材とする端子台本体と、端子金具である貫通導体と、貫通導体に螺合される端子ネジと、を備えている。この端子台本体は、上下に分かれた対をなす上部本体部と下部本体部とを有している。上部本体部及び下部本体部はそれぞれ、壁によって区画される端子部を有している。また、貫通導体は、端子台本体に上部本体部と下部本体部との対応する端子部同士を繋ぐように取り付けられている。端子ネジは、上部本体部及び下部本体部の端子部ごとにそれぞれ配置されており、貫通導体に螺合されている。従って、かかる貫通端子台によれば、下部本体部に配設される端子ネジに接続される電気回路と、上部本体部に配設される端子ネジに接続される外部機器と、を貫通導体を介して接続させることができる。
【先行技術文献】
【特許文献】
【０００３】
【特許文献１】実公平７−３５３１１号公報
【発明の概要】
【発明が解決しようとする課題】
【０００４】
ところで、上記の貫通端子台において、各本体部それぞれの端子部は、一列に並んで複数設けられており、かかる各端子部において、他の端子部と隣接する隣接方向側の面には壁が立設される一方、他の端子部と隣接しない上記の隣接方向とは９０°異なる直交方向側の面は何れも開放されており、その直交方向側の面には壁が設けられていない。
【０００５】
貫通端子台は、一般的に、電気回路が収容される筐体の表面近傍に、下部本体部が筐体内に配置されかつ上部本体部が筐体外に配置されて、筐体内で下部本体部と電気回路とが接続されかつ筐体外で上部本体部と外部機器とが接続されるように取り付けされるものである。かかる貫通端子台においては、筐体内では筐体中央側から延びる内部配線が下部本体部に配置される端子ネジに接続されると共に、筐体外では筐体外側から延びる外部配線が上部本体部に配置される端子ネジに接続される。電気回路などから貫通端子台に延びる配線は、貫通端子台の各端子部において壁が立設されていない開口を通じて端子ネジに接続される。
【０００６】
このため、上記した直交方向側の面に壁が設けられていない貫通端子台を電気機器の筐体に取り付けるうえでは、筐体の内部側においては、筐体内壁との間での絶縁性を確保するために端子台本体としての基台をその筐体内壁から離隔させて配置することが必要であり、その配置が制約される。一方、筐体の外部側においては、配線の導体部である裸線や圧着端子を端子部に接続する際に、絶縁性や安全性が損なわれ、或いは、その確保のために導体部が端子部を突き抜けて外側にはみ出さないように接続作業などを適切に行うことが必要となる。従って、これらの欠点を解消するためには、上記した直交方向側の二面のうち一方の面に壁が立設されると共に、他方の面に開口が設けられていることが望ましい。
【０００７】
しかし、貫通端子台において、上記した直交方向側の二面のうち壁が立設される面が、上部本体部と下部本体部とで互いに同じ側であるものとすると、以下に示すことが想定される。具体的には、筐体に対する貫通端子台の取り付けが、端子部において開口が筐体の中央寄りに配置されかつ壁が筐体の外部側に配置されるように行われると、下部本体部の端子部の壁を筐体内壁に近接又は当接させることが可能となるため、筐体に対する貫通端子台の配置の自由度が増す一方で、上部本体部の端子部の開口が筐体中央寄りに向けて空くことになるため、その端子部の端子ネジへの外部配線の接続作業性が損なわれてしまう。また逆に、筐体に対する貫通端子台の取り付けが、端子部において壁が筐体の中央寄りに配置されかつ開口が筐体の外部側に配置されるように行われると、上部本体部の端子部の開口が筐体外部側に向けて空くことになるため、その端子部の端子ネジへの外部配線の接続作業性が良好となる一方、下部本体部の端子部の壁を筐体内壁に近接又は当接させることができないため、絶縁性確保のために配置が制約されてしまう。
【０００８】
本発明は、上述した課題を解決するためになされたものであり、筐体内及び筐体外での絶縁性を確保しつつ、筐体に対する貫通端子台の配置の自由度を高めかつ外部配線の接続作業性を向上させることが可能な貫通端子台及び電気機器を提供することを目的とする。
【課題を解決するための手段】
【０００９】
上記した課題を解決するためになされた本発明の貫通端子台は、壁によって一以上の端子部に区画される内部用基台部と、前記内部用基台部と対をなす、壁によって一以上の端子部に区画される外部用基台部と、を有する、絶縁性を有する基台と、前記基台に前記内部用基台部と前記外部用基台部との対応する端子部同士を繋ぐように取り付けられる一以上の導電金具と、前記内部用基台部及び前記外部用基台部の端子部ごとにそれぞれ配置される、前記導電金具に螺合される端子ネジと、を備える貫通端子台であって、前記内部用基台部は、第１の面において開放される開口と、前記第１の面と対向する第２の面に立設される壁と、を有すると共に、前記外部用基台部は、前記第１の面に立設される壁と、前記第２の面において開放される開口と、を有することを特徴とするものである。
【００１０】
この構成によれば、内部用基台部では、開口が開放される第１の面と対向する第２の面に壁が立設される。このため、貫通端子台を、その内部用基台部の壁が電気機器の筐体の内壁に当接又は近接して配置されるようにその筐体に取り付けてもその筐体内での絶縁性を確保することができ、筐体に対する貫通端子台の配置の自由度を高めることができる。また、外部用基台部では、上記の第２の面に開口が開放されかつ上記の第１の面に壁が立設される。すなわち、内部用基台部の開口が設けられる面と外部用基台部の開口が設けられる面とが互いに逆側であると共に、内部用基台部の壁が立設される面と外部用基台部の壁が立設される面とが互いに逆側である。このため、この貫通端子台を上記の如く第２の面の壁が電気機器の筐体の内壁に当接又は近接して配置されるようにその筐体に取り付けた場合、外部用基台部の端子部の開口が筐体外部側に向けて空くことでその端子部の端子ネジへの外部配線の接続作業性を向上させることができると共に、外部用基台部の端子部の開口から差し込まれた外部配線の裸線や圧着端子などの導体部が反対側の壁に規制されることでその導体部が端子部から突き抜けるのを防止することができ、筐体外での絶縁性を確保することができる。
【００１１】
また、本発明の電気機器は、電気回路と、前記電気回路が収容される筐体と、上記の貫通端子台と、を備え、前記貫通端子台は、前記内部用基台部の端子部が前記筐体の内部に収容されかつ前記外部用基台部の端子部が前記筐体の外部に露出するように、前記筐体に取り付けられると共に、前記内部用基台部の端子部に配置される前記端子ネジと前記電気回路とは、前記筐体の内部において接続されていることを特徴とするものである。
【００１２】
この構成によれば、内部用基台部の端子部が筐体内部に収容されてその端子ネジと電気回路とが筐体内部において接続されていると共に、外部用基台部の端子部が筐体外部に露出しているため、電気機器の筐体内部において内部用基台部側の端子ネジを電気回路に接続させることができると共に、筐体外部において外部用基台部側の端子ネジを外部配線に接続させることができる。
【００１３】
更に、本発明の電気機器は、貫通端子台は、前記第１の面において開放される前記内部用基台部の開口が前記筐体の前記電気回路が配置される内部空間側に向き、かつ、前記第２の面に立設される前記内部用基台部の壁が前記筐体の何れかの内壁に当接又は近接するように、前記筐体に取り付けられることを特徴とするものである。
【００１４】
この構成によれば、貫通端子台の筐体への取り付けが、内部用基台部の開口が筐体の内部空間側に向き、かつ、内部用基台部の壁が筐体の内壁に当接又は近接するように行われるため、筐体内及び筐体外での絶縁性を確保しつつ、筐体に対する貫通端子台の配置の自由度を高めかつ外部配線の接続作業性を向上させることができる。
【図面の簡単な説明】
【００１５】
【図１】本発明の一実施形態に係る貫通端子台及びその貫通端子台を備える電気機器を含む電気機器システムの構成図である。
【図２】本実施形態に係る貫通端子台の配線接続前の正面図である。
【図３】図２に示す貫通端子台の背面図である。
【図４】図２に示す貫通端子台の右側面図である。
【図５】図２に示す貫通端子台の左側面図である。
【図６】図２に示す貫通端子台の上面図である。
【図７】図２に示す貫通端子台の底面図である。
【図８】図２に示す貫通端子台のVIII−VIII断面図である。
【図９】本実施形態に係る貫通端子台の配線接続後の図８相当の断面図である。
【図１０】本発明の変形例に係る貫通端子台の正面図である。
【図１１】図１０に示す貫通端子台の上面図である。
【図１２】図１０に示す貫通端子台の右側面図である。
【発明を実施するための形態】
【００１６】
以下、本発明に係る貫通端子台及び電気機器の具体的な実施形態について、図面を参照しつつ説明する。
【００１７】
本実施形態に係る電気機器システム１０は、図１に示す如く、電気機器１２と、外部機器１４と、を備えている。電気機器１２は、電気回路１６と、筐体１８と、を備えている。電気回路１６は、例えばスイッチング素子や抵抗などの素子により構成されており、例えばプリント基板などに実装されていればよい。電気回路１６は、箱型の筐体１８内に収容されている。外部機器１４は、筐体１８の外側に設けられている。外部機器１４は、例えば電気機器１２の電気回路１６を制御する制御回路や電気回路１６に電力を供給する分電盤などである。電気回路１６は、外部機器１４と配線を介して接続されており、その外部機器１４からの電気信号により制御される。
【００１８】
電気機器１２は、貫通端子台２０を備えている。貫通端子台２０は、筐体１８に取り付けられる端子台であって、筐体１８内に収容される電気回路１６と筐体１８外に設けられる外部機器１４とを接続させるための中継器である。貫通端子台２０は、その両端で固定部材２１を用いて筐体１８に対して固定される。貫通端子台２０は、固定部材２１として、端部にある壁に設けられる突出した突起状のピンを有する。固定部材２１は、黄銅等の金属からなるものであって、その基端側が貫通端子台２０の本体の側面壁に埋設固定されかつその先端側がその側面壁から突出したものである。貫通端子台２０は、固定部材２１が筐体１８の内壁やブラケット，プリント基板などに差し込まれること或いはその状態で半田付けされることにより筐体１８に固定される。貫通端子台２０は、絶縁性を有する基台２２と、導電性を有する導電金具２４と、を備えている。
【００１９】
基台２２は、導電金具２４が取り付けられる台座である。基台２２は、絶縁性及び耐熱性を有する樹脂などにより構成されている。基台２２の材質は、例えば、ＰＢＴ（ポリブチレンテレフタレート）などである。基台２２は、図２乃至図９に示す如く、２段に分かれており、一段目にある筐体１８内の電気回路１６側に対応する基台部２６と、二段目にある筐体１８外の外部機器１４側に対応する基台部２８と、を有している。以下、基台部２６を内部用基台部２６と、基台部２８を外部用基台部２８と、それぞれ称す。内部用基台部２６と外部用基台部２８とは、対をなしており、一体で構成されている。
【００２０】
内部用基台部２６は、端子部３０と、壁３２と、を有しており、壁３２によって一以上の端子部３０に区画されている。端子部３０は、導電金具２４の一部が載置されるターミナル部であって、複数（各図においては３つ）設けられている。複数の端子部３０は、一列に配列されており、壁３２を隔てて区画されている。複数の端子部３０が並ぶ方向（以下、左右方向Ｘとする。）は、内部用基台部２６と外部用基台部２８とが段をなす方向（以下、上下方向Ｚとする。）に対して直交している。
【００２１】
壁３２は、各端子部３０の周囲にある四面のうち二面それぞれに立設されている。壁３２は、複数の端子部３０が並ぶ左右方向Ｘに端子部３０を挟むように複数（各図においては４つ）設けられている。以下、壁３２を側面壁３２と称し、また、適宜、側面壁３２が設けられる面を左面及び右面と称す。側面壁３２は、長手方向である左右方向Ｘ端にあるものを除いて、その側面壁３２を挟んで左右方向Ｘに隣接する２つの端子部３０にとって共用壁である。尚、側面壁３２は、左右方向Ｘに隣接する２つの端子部３０上に載置される導電金具２４同士の絶縁性を確保するのに必要な厚さを有するものとすればよい。また、内部用基台部２６の左右方向Ｘ端にある側面壁３２は、強度などを確保するため、他の側面壁３２の厚さよりも厚くてよい。
【００２２】
外部用基台部２８は、端子部３４と、壁３６と、を有しており、壁３６によって一以上の端子部３４に区画されている。端子部３４は、導電金具２４の一部が載置されるターミナル部であって、内部用基台部２６の端子部３０の数と同数の複数設けられている。端子部３０と端子部３４とは、一対一で対をなしている。複数の端子部３４は、一列に配列されており、壁３６を隔てて区画されている。複数の端子部３４が並ぶ左右方向Ｘは、内部用基台部２６と外部用基台部２８とが段をなす上下方向Ｚに対して直交している。
【００２３】
壁３６は、各端子部３４の周囲にある四面のうち二面それぞれに立設されている。壁３６は、複数の端子部３４が並ぶ左右方向Ｘに端子部３４を挟むように内部用基台部２６の側面壁３２の数と同数の複数設けられている。以下、壁３６を側面壁３６と称し、また、適宜、側面壁３６が設けられる面を左面及び右面と称す。側面壁３６は、長手方向である左右方向Ｘ端にあるものを除いて、その側面壁３６を挟んで左右方向Ｘに隣接する２つの端子部３４にとって共用壁である。尚、側面壁３６は、左右方向Ｘに隣接する２つの端子部３４上に載置される導電金具２４同士の絶縁性を確保するのに必要な厚さを有するものとすればよい。また、外部用基台部２８の左右方向Ｘ端にある側面壁３６は、強度などを確保するため、他の側面壁３６の厚さよりも厚くてよい。また、側面壁３６は、側面壁３２と一体で構成され、側面壁３２と兼用されるものであればよい。
【００２４】
基台２２は、内部用基台部２６の端子部３０が筐体１８の内部に収容されかつ外部用基台部２８の端子部３４が筐体１８の外部に露出するように、筐体１８に取り付けられる。基台２２は、また、内部用基台部２６の端子部３０と外部用基台部２８の端子部３４との間を貫通する貫通孔３８を有している。貫通孔３８は、対をなす端子部３０，３４ごとに設けられており、基台２２に複数設けられている。貫通孔３８は、矩形状に形成された断面を有し、導電金具２４の一部が挿入可能となるように形成されている。
【００２５】
導電金具２４は、基台２２に取り付けられる導電体である。導電金具２４は、貫通導体４０と、端子ネジ４２，４４と、を有している。貫通導体４０は、端子部３０側の端子ネジ４２と端子部３４側の端子ネジ４４とを接続させるものである。端子ネジ４２は、螺合により電気回路１６からの配線６０と貫通導体４０とを接続させて固定するものである。端子ネジ４４は、螺合により外部機器１４からの配線６８と貫通導体４０とを接続させて固定するものである。
【００２６】
貫通導体４０は、内部用基台部２６と外部用基台部２８との対応する端子部３０，３４同士を一対一で繋ぐように貫通孔３８に挿入されて基台２２に取り付けられている。貫通導体４０は、対をなす端子部３０，３４ごとに設けられており、内部用基台部２６の端子部３０の数（又は、これと同数の外部用基台部２８の端子部３４の数）と同数だけ設けられている。貫通導体４０は、黄銅などの金属により構成されている。
【００２７】
各貫通導体４０は、金属の導電板を側面視コの字状又は角張ったＣ字状に加工したものである。各貫通導体４０は、端子ネジ４２，４４に対応する座部４６，４８を有している。座部４６，４８は、貫通孔３８の両端にある端子部３０，３４に露出するように形成されている。座部４６，４８は、内面に雌ネジが形成された円形の貫通孔５０，５２を有している。
【００２８】
端子ネジ４２は、内部用基台部２６の端子部３０ごとに配置されるネジである。以下、端子ネジ４２を内部用端子ネジ４２と称す。内部用端子ネジ４２は、内部用基台部２６の端子部３０の数と同数だけ設けられている。各内部用端子ネジ４２は、一の端子部３０の大きさに嵌るのに必要な大きさを有している。内部用端子ネジ４２は、鉄などの金属により構成されている。
【００２９】
各内部用端子ネジ４２は、雄ネジが形成されたネジ本体５４と、スプリングワッシャー５６と、座金５８と、から構成されている。ネジ本体５４の雄ネジは、貫通導体４０の座部４６の貫通孔５０の雌ネジに合致する形状を有している。各内部用端子ネジ４２は、ネジ本体５４の雄ネジと貫通導体４０の座部４６の貫通孔５０の雌ネジとが嵌め合うことにより、対応する貫通導体４０に螺合される。内部用端子ネジ４２及び貫通導体４０は、筐体１８内の電気回路１６に配線６０を介して接続されている。以下、配線６０を内部配線６０と称す。
【００３０】
端子ネジ４４は、外部用基台部２８の端子部３４ごとに配置されるネジである。尚、端子ネジ４４は、上記の内部用端子ネジ４２と同一の形状を有するものであればよい。以下、端子ネジ４４を外部用端子ネジ４４と称す。外部用端子ネジ４４は、外部用基台部２８の端子部３４の数と同数だけ設けられている。各外部用端子ネジ４４は、一の端子部３４の大きさに嵌るのに必要な大きさを有している。外部用端子ネジ４４は、鉄などの金属により構成されている。
【００３１】
各外部用端子ネジ４４は、内部用端子ネジ４２と同様に、雄ネジが形成されたネジ本体６２と、スプリングワッシャー６４と、座金６６と、から構成されている。ネジ本体６２の雄ネジは、貫通導体４０の座部４８の貫通孔５２の雌ネジに合致する形状を有している。各外部用端子ネジ４４は、ネジ本体６２の雄ネジと貫通導体４０の座部４８の貫通孔５２の雌ネジとが嵌め合うことにより、対応する貫通導体４０に螺合される。外部用端子ネジ４４は、筐体１８外の外部機器１４に配線６８を介して接続されている。以下、配線６８を外部配線６８と称す。
【００３２】
尚、端子ネジ４２，４４は、スプリングワッシャー５６，６４及び座金５８，６６を有するものとし、内部用端子ネジ４２と貫通導体４０との螺合及び外部用端子ネジ４４と貫通導体４０との螺合は、スプリングワッシャー５６，６４や座金５８，６６を挟んで行うものとしている。しかし、端子ネジ４２，４４がスプリングワッシャー５６，６４及び座金５８，６６を有しないものとし、上記の螺合がスプリングワッシャー５６，６４や座金５８，６６を挟むことなくネジ本体５４，６２と貫通導体４０とを直接に接続させて行うこととしてもよい。また、座金５８，６６は、図６及び図７に示す如く、角張った角座金であってもよいが、円形の座金であってもよい。
【００３３】
また、上記した基台２２において、内部用基台部２６は、開口７０と、壁７２と、を有している。開口７０は、内部用基台部２６の各端子部３０の周囲にある四面のうちの一面において開放されたものである。具体的には、開口７０は、端子部３０の中心側から見て他の端子部３０と隣接する隣接方向（すなわち、左右方向Ｘ）とは９０°異なる直交方向（すなわち、前後方向Ｙ）にある対向する二面のうちの一方の面において開放されている。
【００３４】
以下、基台２２において内部用基台部２６の開口７０が設けられる一方の面を前面と称す。この前面は、貫通端子台２０が筐体１８に取り付けられた際に、その筐体１８の外寄りに位置する面に対向する中央寄りに位置する面である。開口７０は、左右方向Ｘに並んだすべての端子部３０に対して同じ前後方向Ｙ側の一面に設けられている。開口７０は、端子部３０に配置される内部用端子ネジ４２との内部配線６０の接続或いは取り外しを行い易くする役割やその内部配線６０を筐体１８内で取り回しし易くする役割などを有している。
【００３５】
壁７２は、端子部３０の中心側から見て他の端子部３０と隣接する隣接方向（すなわち、左右方向Ｘ）とは９０°異なる直交方向（すなわち、前後方向Ｙ）にある対向する二面のうちの他方の面に、すなわち、開口７０が設けられた前面に対向する一面に立設されている。壁７２の高さは、側面壁３２の高さとほぼ一致していてもよいが、異なっていてもよい。壁７２は、左右方向Ｘに並んだすべての端子部３０に対して同じ前後方向Ｙ側の一面に設けられている。以下、適宜、基台２２において内部用基台部２６の壁７２が立設される他方の面を背面と称し、また、その壁７２を背面壁７２と称す。この背面は、貫通端子台２０が筐体１８に取り付けられた際に、その筐体１８の中央寄りに位置する上記前面に対向する外寄りに位置する面である。
【００３６】
内部用基台部２６は、各端子部３０に対して三方（具体的には、左面と右面と背面との三面）それぞれに立設される壁３２，７２を有している。背面壁７２は、端子部３０に配置された内部用端子ネジ４２に接続された、筐体１８内の電気回路１６からの内部配線６０（特にその裸線部）が背面側から外部に飛び出すのを防止する役割などを有している。尚、背面壁７２は、内部配線６０の絶縁性や基台２２の強度などを確保するのに必要な厚さを有するものとすればよい。
【００３７】
更に、外部用基台部２８は、開口７４と、壁７６と、を有している。開口７４は、外部用基台部２８の各端子部３４の周囲にある四面のうちの一面において開放されたものである。具体的には、開口７４は、端子部３４の中心側から見て前後方向Ｙにある対向する二面のうちの一面（具体的には、内部用基台部２６の背面壁７２が設けられた背面）において開放されている。開口７４は、左右方向Ｘに並んだすべての端子部３４に対して同じ前後方向Ｙ側の一面に設けられている。開口７４は、端子部３４に配置される外部用端子ネジ４４との外部配線６８の接続或いは取り外しを行い易くする役割やその外部配線６８を筐体１８外で取り回しし易くする役割などを有している。
【００３８】
壁７６は、端子部３４の中心側から見て前後方向Ｙにある対向する二面のうちの一面（具体的には、内部用基台部２６の開口７０が設けられた前面）に立設されている。壁７６の高さは、側面壁３６の高さとほぼ一致していてもよいが、異なっていてもよい。壁７６は、左右方向Ｘに並んだすべての端子部３４に対して同じ前後方向Ｙ側の一面に設けられている。以下、壁７６を前面壁７６と称す。
【００３９】
外部用基台部２８は、各端子部３４に対して三方（具体的には、左面と右面と前面との三面）それぞれに立設される壁３６，７６を有している。前面壁７６は、端子部３４に配置された外部用端子ネジ４４に接続された、筐体１８外の外部機器１４からの外部配線６８（特にその裸線部）が前面側から外部に飛び出すのを防止する役割などを有している。尚、前面壁７６は、外部配線６８の絶縁性や基台２２の強度などを確保するのに必要な厚さを有するものとすればよい。
【００４０】
このように貫通端子台２０の基台２２においては、内部用基台部２６が、前面において開放される開口７０と、背面に立設される背面壁７２と、を有すると共に、外部用基台部２８が、前面に立設される前面壁７６と、背面において開放される開口７４と、を有する。すなわち、内部用基台部２６の開口７０が設けられる面と外部用基台部２８の開口７４が設けられる面とが互いに逆側であると共に、内部用基台部２６の壁７２が立設される面と外部用基台部２８の壁７６が立設される面とが互いに逆側である。
【００４１】
かかる構造においては、内部用基台部２６に背面壁７２が立設されていることで、内部用基台部２６の開口７０から差し込まれる内部配線６０の裸線や圧着端子などの導体部が背面壁７２に規制されるので、その導体部が端子部３０から突き抜けるのを防止することができ、内部配線６０及び内部用端子ネジ４２の、他の金属導体との絶縁性を確保することができる。また、外部用基台部２８に前面壁７６が立設されていることで、外部用基台部２８の開口７４から差し込まれる外部配線６８の裸線や圧着端子などの導体部が前面壁７６に規制されるので、その導体部が端子部３４から突き抜けるのを防止することができ、外部配線６８及び外部用端子ネジ４４の、他の金属導体との絶縁性を確保することができる。
【００４２】
また、上記の構造においては、配線６０，６８と金属導体との絶縁性を損なうことなく、貫通端子台２０を、電気機器１２の筐体１８にその筐体１８の角部に沿うように取り付けることができる。具体的には、貫通端子台２０の筐体１８への取り付けを、筐体１８内の内部用基台部２６の開口７０が筐体１８内においてその筐体１８の中央側ひいては電気回路１６が配置される内部空間側に向き、かつ、その背面壁７２が筐体１８の何れかの内壁に当接又は近接して、筐体１８の角部において筐体１８外の外部用基台部２８の開口７４が筐体１８に対して筐体１８の外部側に向くように行うことができる。
【００４３】
かかる貫通端子台２０の取り付け位置によれば、筐体１８内での絶縁性を確保しつつ、筐体１８に対する貫通端子台２０の配置の自由度を高めることができる。また、筐体１８内で電気回路１６から延びる内部配線６０を、貫通端子台２０の内部用基台部２６の端子部３０に配置されている内部用端子ネジ４２及び貫通導体４０に接続させるのに、筐体１８の内壁に沿うように大きく迂回させて配策することは不要であって、筐体１８内で内部用端子ネジ４２及び貫通導体４０に直線状に接続させることができる。このため、筐体１８内での内部配線６０の取り回しを容易にすると共に、その内部配線６０の配線長を短くすることができる。
【００４４】
また、上記した貫通端子台２０の取り付け位置によれば、外部用基台部２８の端子部３４の開口７４が筐体１８の中央寄りに向けて空くことなくその筐体１８の外部側に向けて空くこととなる。この構造によれば、筐体１８外で外部機器１４から延びる外部配線６８を、貫通端子台２０の外部用基台部２８の端子部３４に配置されている外部用端子ネジ４４及び貫通導体４０に接続させるのに、筐体１８の外壁表面に沿って跨ぐように配策させることは不要であるので、その外部配線６８の外部用端子ネジ４４への取り付け作業時やその外部用端子ネジ４４からの取り外し作業時に作業者の手が筐体１８の表面に接触し易くなるのを防止することができると共に、外部配線６８が無駄に長くなるのを防止することができる。このため、筐体１８外の外部配線６８の接続作業性を向上させることができると共に、その外部配線６８の配線長を短くすることができる。
【００４５】
従って、本実施形態の貫通端子台２０及びその貫通端子台２０を備える電気機器１２によれば、導電金具２４の端子ネジ４２，４４や貫通導体４０及び配線６０，６８の、筐体１８内及び筐体１８外での絶縁性を確保しつつ、筐体１８に対する貫通端子台２０の配置の自由度を高めかつ外部配線６８の接続作業性を向上させることができる。
【００４６】
ところで、上記の実施形態においては、基台２２において内部用基台部２６の開口７０が設けられる前面が特許請求の範囲に記載した「第１の面」に、基台２２において内部用基台部２６の壁７２が立設される背面が特許請求の範囲に記載した「第２の面」に、それぞれ相当している。
【００４７】
以上詳述したことから明らかなように、本実施形態の貫通端子台２０は、壁３２によって一以上の端子部３０に区画される内部用基台部２６と、内部用基台部２６と対をなす、壁３６によって一以上の端子部３４に区画される外部用基台部２８と、を有する、絶縁性を有する基台２２と、基台２２に内部用基台部２６と外部用基台部２８との対応する端子部３０，３４同士を繋ぐように取り付けられる一以上の貫通導体４０と、内部用基台部２６及び外部用基台部２８の端子部３０，３４ごとにそれぞれ配置される、貫通導体４０に螺合される端子ネジ４２，４４と、を備える貫通端子台であって、内部用基台部２６が、第１の面において開放される開口７０と、第１の面と対向する第２の面に立設される壁７２と、を有すると共に、外部用基台部２８が、第１の面に立設される壁７６と、第２の面において開放される開口７４と、を有することを特徴とするものである。
【００４８】
この構成によれば、内部用基台部２６では、開口７０が開放される第１の面と対向する第２の面に壁７２が立設される。このため、貫通端子台２０を、その内部用基台部２６の壁７２が電気機器１２の筐体１８の内壁に当接又は近接して配置されるようにその筐体１８に取り付けても、その筐体１８内での絶縁性を確保することができ、筐体１８に対する貫通端子台２０の配置の自由度を高めることができる。また、外部用基台部２８では、上記の第２の面に開口７４が開放されかつ上記の第１の面に壁７６が立設される。すなわち、内部用基台部２６の開口７０が設けられる面と外部用基台部２８の開口７４が設けられる面とが互いに逆側であると共に、内部用基台部２６の壁７２が立設される面と外部用基台部２８の壁７６が立設される面とが互いに逆側である。このため、貫通端子台２０を上記の如く第２の面の壁７２が電気機器１２の筐体１８の内壁に当接又は近接して配置されるようにその筐体１８に取り付けた場合、外部用基台部２８の端子部３４の開口７４が筐体１８外部側に向けて空くことでその端子部３４の端子ネジ４４への外部配線６８の接続作業性を向上させることができると共に、外部用基台部２８の端子部３４の開口７４から差し込まれた外部配線６８の裸線や圧着端子などの導体部が壁７６に規制されることでその導体部が端子部３４から突き抜けるのを防止することができ、筐体１８外での絶縁性を確保することができる。
【００４９】
また、貫通端子台２０は、内部用基台部２６及び外部用基台部２８が、各端子部３０，３４に対して三方それぞれに立設される壁３２，３６，７２，７６を有することを特徴とするものである。
【００５０】
この構成によれば、各端子部３０，３４に対して三方それぞれに壁が立設されるため、開口７０，７４から差し込まれた配線６０，６８の導体部の、他の金属導体との絶縁性を確保することができる。
【００５１】
また、貫通端子台２０は、内部用基台部２６が複数の端子部３０に区画され、外部用基台部２８が複数の端子部３４に区画されると共に、内部用基台部２６の端子部３０及び外部用基台部２８の端子部３４がそれぞれ、第１の面を前面としかつ第２の面を背面としたとき、左右方向に配列されていることを特徴とするものである。
【００５２】
この構成によれば、内部用基台部２６の開口７０が前面において開放されかつその壁７２が背面に立設され、外部用基台部２８の壁７６が前面に立設されかつその開口７４が背面において開放されると共に、内部用基台部２６及び外部用基台部２８それぞれの端子部３０，３４が左右方向Ｘに配列されるため、筐体１８内において内部用基台部２６の各端子部３０に対して前面側から内部配線６０を接続させることができると共に、筐体１８外において外部用基台部２８の各端子部３４に対して背面側から外部配線６８を接続させることができる。
【００５３】
また、貫通端子台２０は、基台２２の左右方向端にある壁の少なくとも一方に固定部材２１としての突起状のピンが設けられることを特徴とするものである。この構成によれば、貫通端子台２０を固定部材２１を介して筐体１８に固定することができる。
【００５４】
また、電気機器１２は、電気回路１６と、電気回路１６が収容される筐体１８と、貫通端子台２０と、を備え、貫通端子台２０が、内部用基台部２６の端子部３０が筐体１８の内部に収容されかつ外部用基台部２８の端子部３４が筐体１８の外部に露出するように、筐体１８に取り付けられると共に、内部用基台部２６の端子部３０に配置される端子ネジ４２と電気回路１６とが、筐体１８の内部において接続されていることを特徴とするものである。
【００５５】
この構成によれば、内部用基台部２６の端子部３０が筐体１８内部に収容されてその端子ネジ４２と電気回路１６とが筐体１８内部において接続されていると共に、外部用基台部２８の端子部３４が筐体１８外部に露出しているため、電気機器１２の筐体１８内部において内部用基台部２６側の端子ネジ４２を電気回路１６に接続させることができると共に、筐体１８外部において外部用基台部２８側の端子ネジ４４を外部配線６８に接続させることができる。
【００５６】
また、電気機器１２は、貫通端子台２０が、第１の面において開放される内部用基台部２６の開口７０が筐体１８の電気回路１６が配置される内部空間側に向き、かつ、第２の面に立設される内部用基台部２６の壁７２が筐体１８の何れかの内壁に当接又は近接するように、筐体１８に取り付けられることを特徴とするものである。
【００５７】
この構成によれば、貫通端子台２０の筐体１８への取り付けが、内部用基台部２６の開口７０が筐体１８の内部空間側に向き、かつ、内部用基台部２６の壁７２が筐体１８の内壁に当接又は近接するように行われるため、筐体１８内及び筐体１８外での絶縁性を確保しつつ、筐体１８に対する貫通端子台２０の配置の自由度を高めかつ外部配線６８の接続作業性を向上させることができる。
【００５８】
尚、本発明は、上述した実施形態や変形例に限定されるものではなく、本発明の趣旨を逸脱しない範囲で種々の変更を施すことが可能である。
【００５９】
例えば、上記の実施形態においては、筐体１８内において電気回路１６と貫通端子台２０の内部用基台部２６の各端子部３０に配置される内部用端子ネジ４２とを内部配線６０により接続するものとした。しかし、内部配線６０は、電線を用いることに限らず、銅からなるバスバーを用いることとしてもよい。
【００６０】
また、上記の実施形態においては、貫通端子台２０を筐体１８に固定する固定部材２１として、基台２２の左右方向Ｘ端にある壁表面に突出するピンを用いることとした。しかし、本発明はこれに限定されるものではなく、固定部材２１は、例えば、ネジや、ボルトとナットなどであってもよい。例えば、図１０乃至図１２に示す如く、固定部材２１として、基台２２の左右方向Ｘの両側に外方に向けて突設される、取付孔８０，８２が空いた取付部８４，８６を設ける。そして、その貫通端子台２０を、取付孔８０，８２に挿入されるネジにより又は取付孔８０，８２に挿入されるボルトとナットとにより筐体１８に締結する。かかる変形例においても、上記の実施形態と同様の効果を得ることができる。
【００６１】
すなわち、この変形例において、貫通端子台２０は、基台２２が、左右両側のうち少なくとも一方側に突設される、取付孔８０，８２が空いた取付部８４，８６を有することを特徴とするものである。この構成によれば、貫通端子台２０を、基台２２の取付部８４，８６の取付孔８０，８２に挿入されるボルトなどを介して筐体１８に固定することができる。
【００６２】
また、上記の実施形態においては、固定部材２１を図２及び図３に示す如く基台２２の左右方向Ｘ端の両側のうち一方のみに設けるものとしている。しかし、本発明はこれに限定されるものではなく、固定部材２１を、基台２２の左右方向Ｘ端の両側のうち少なくとも一方に設けられるものとすればよく、両方に設けられるものとしてもよい。
【００６３】
また、上記の実施形態においては、基台２２に設けた貫通孔３８を、矩形状に形成された断面を有するものとし、貫通導体４０を金属の導電板を側面視コの字状又は角張ったＣ字状に加工したものとした。しかし、本発明はこれに限定されるものではなく、貫通孔３８を円形断面を有するものとし、貫通導体４０を円筒状に形成されるものとしてもよい。
【００６４】
更に、上記の実施形態においては、内部用基台部２６の端子部３０を複数設けると共に、外部用基台部２８の端子部３４を複数設けるものとした。しかし、本発明はこれに限定されるものではなく、それらの端子部３０，３４をそれぞれ一以上ずつ設けるものとすればよい。
【符号の説明】
【００６５】
１２  電気機器
１４  外部機器
１６  電気回路
１８  筐体
２０  貫通端子台
２２  基台
２４  導電金具
２６  内部用基台部
２８  外部用基台部
３０，３４  端子部
３２，３６  側面壁
３８  貫通孔
４０  貫通導体
４２  内部用端子ネジ
４４  外部用端子ネジ
６０  内部配線
６８  外部配線
７０，７４  開口
７２  背面壁
７６  前面壁
【図１】
2017107658.tif 000003
【図２】
2017107658.tif 000004
【図３】
2017107658.tif 000005
【図４】
2017107658.tif 000006
【図５】
2017107658.tif 000007
【図６】
2017107658.tif 000008
【図７】
2017107658.tif 000009
【図８】
2017107658.tif 000010
【図９】
2017107658.tif 000011
【図１０】
2017107658.tif 000012
【図１１】
2017107658.tif 000013
【図１２】
2017107658.tif 000014